(57)【要約】【課題】トイレットペーパロールのロール芯に別途な価値を与え、単にゴミとして捨て去られる無駄を少しでもなくしたり、あるいはまた、トイレットペーパロールそのものの商品価値をも高め得る工夫をなす。【解決手段】ロール芯11にトイレットペーパ12を巻回してなるトイレットペーパロール10において、ロール芯11の表面に人の鑑賞に供する図画21を付す。【選択図】図１
0003122928.tif 000002
【実用新案登録請求の範囲】
【請求項１】
ロール芯にトイレットペーパを巻回してなるトイレットペーパロールであって；
該ロール芯そのものの表面に人の鑑賞に供する図画を付したこと；
を特徴とするトイレットペーパロール。
【請求項２】
請求項１記載のトイレットペーパロールであって；
上記図画を、その輪郭に沿って切り抜くことで立体造形が得られるものとしたこと；
を特徴とするトイレットペーパロール。
【考案の詳細な説明】
【技術分野】
【０００１】
本考案はトイレットペーパロールに関し、特に使い終わったときに残るロール芯を極力無駄にせず、有効利用するための改良に関する。
【背景技術】
【０００２】
ロール芯(紙管)に連続紙を巻き付けて成るトイレットペーパロールでは、巻回されていた連続紙(トイレットペーパ)を使い切った後に残るロール芯はそのまま捨てられるのが普通である。これはある意味では無駄であり、ゴミを増やす原因でもある。
【０００３】
この点に鑑み、従来からも、例えば下記特許文献１に認められるように、ロール芯の表面に別途なシートを予め貼着しておき、ペーパを使い終わるとこのシートが現れて、そこに書かれている広告等の情報が使用者に伝えられるようにしたものがある。
【特許文献１】特開平9-192047号公報
【考案の開示】
【考案が解決しようとする課題】
【０００４】
しかし、このような従来例は、まずもってロール芯に別途なシートを貼着するのが面倒であり、工程の大幅な増加、大きなコスト高を招くのみならず、結局は人に対しても一時的な情報を与えるだけで、ロール芯共々、直ぐにも捨て去られてしまうのがせいぜいである。例えシートは取って置かれたにしても、まずは間違いなく、ロール芯は捨て去られてしまう。
【０００５】
本考案はこの点に鑑みて成されたもので、通常は無駄に捨て去られるだけのロール芯に別途な価値を与え、単にゴミとして捨て去られる無駄を少しでもなくしたり、あるいはまた、使用者に嬉しく受け容れられるであろう付加価値を与えることで、結果としてはトイレットペーパロールそのものの商品価値をも高め得るような、新たな工夫のなされたトイレットペーパロールを提供せんとする。
【課題を解決するための手段】
【０００６】
上記目的を達成するため、本考案では、
ロール芯にトイレットペーパを巻回してなるトイレットペーパロールであって；
ロール芯そのものの表面に人の鑑賞に供する図画を付したこと；
を特徴とするトイレットペーパロールを提案する。
【０００７】
また、本考案の一態様においては、上記の図画を、その輪郭に沿って切り抜くことで立体造形が得られるものとしたトイレットペーパロールも提案する。
【考案の効果】
【０００８】
本考案によると、トイレットペーパを使い切った時に現れるロール芯に、人が飾っておきたくなるような絵画や絵模様，図柄等々、人の感性，審美眼に訴え掛けられる図画を付し得るので、そのまま無駄に捨て去られるようなおそれを少しでも減らすことができ、ゴミ問題に対する一つの解決策を提示できる。
【０００９】
また、そもそも人を楽しませることができるので、トイレットペーパロールとしての商品価値も高まる。
【００１０】
さらに、使い残ったロール芯に付されている図画に塗り絵のような作業をさせることもできるので、大人の楽しみとしてばかりではなく、保育園，幼稚園，小学校等における美術教育の一環としても利用できる。
【００１１】
加えて、本考案の特定の態様に認められるように、図画の輪郭に沿って切り抜くことで立体造形が得られるようにした場合には、そのような楽しみや教育効果は一層高まるし、そもそも自立した一種のオブジェが得られることはとても人の興味を惹く。
【考案を実施するための最良の形態】
【００１２】
図１には本考案を適用して構成されたトイレットペーパロール10の望ましい一実施形態が示されている。説明すると、同図(A) に示されているように、市販されている通常のトイレットペーパロールと全く同様に、本考案に従うトイレットペーパロール10も、ロール芯11に連続紙(トイレットペーパ)12が巻回されて成っている。しかし、本考案において従来から提供されているトイレットペーパロールと根本的に異なるのは、連続紙11が巻回される前の段階で、同図(B) に示されているように、既にロール芯11に人の鑑賞に供する図画21が付されていることである。これは、一般にロール芯11の表面に対する印刷によってなされて良い。
【００１３】
図示の場合には花束がリボンで纏められたデザインの図画21であって、ロール芯11をそのまま立てて飾るように意図されているが、もちろん、人の感性，審美眼に訴えかけ、手元に取り置いて飾りたくなるようなものであれば、どのような絵画，絵模様，図柄であっても良い。本考案で言う“図画”とは、そうした鑑賞に供し得るであろうものの総称であり、要は、上記特許文献１に認められたような、単に人に情報をのみ提示するに過ぎないものでなければ良い。
【００１４】
本考案によりロール芯11に斯様な工夫を加えることで、これまではそのまま捨て去られる運命にあったロール芯11の数は必ずや減らすことができる。年間で使用されるロール芯は3万トン，60億本を超えるとされている中、本考案が適用されての僅かな節約に思えるものも、トータルではかなりなゴミの排出量低減になると思われる。
【００１５】
何よりも、従来はトイレットペーパ12を使い切ってしまえば何の意味も無かったロール芯11に、一種の芸術的価値を与えることもできるので、人の生活を豊かにし得る小道具としての新たなるロール芯の形をそこに見ることができる。
【００１６】
図示の場合には単に線図で図画21が描かれているが、もちろん、色彩を施しておいても良いし、描く図画21の種類は複数種にして構わない。と言うよりも、寧ろ図画21の種類を増した方が、トイレットペーパ12を使い切ったときに今度はどんな図画が現れるのかとの期待感を使用者に与えることができ、トイレットペーパロール10としての商品価値は一層高まる。
【００１７】
一方、図示のように図画21を線図のみにしておいても、先にも触れた通り、これはこれで塗り絵としても用いることができるため、例え同じ図画であっても、塗る人毎にその感性に任せて多くの異なる作品が誕生することが考えられ、これが大人の個人にだけではなく、教育現場でも個性の開花として歓迎される因となることが大いに期待される。
【００１８】
図２は本発明の他の実施形態を示しているが、ここでは、ロール芯11に付され、人の鑑賞に供する図画22は、同図(A),(B)に示されているように、ロール芯11の外周面に沿って連続した図画となっている。この場合は猫の図画であるが、同図(A) に示されているように、ロール芯外周面の一部の面には猫の顔が描かれ、一方、同図(B) に示されているように、直径方向に対向する面側には尻尾のあるお尻部分が描かれており、それらの間の外周面部分に胴体部分が描かれ、顔側と尻尾側には計四本の足も描かれている。
【００１９】
従って、そのままでも鑑賞に耐えるが、例えばこの図画22の輪郭に沿って切り抜くと、同図(C) に示されているように、四本の足で自立した猫の置物のような立体造形30が得られる。これはこれで可愛く、幾つかを並べて飾ると、例えばトイレ等、余り明るいイメージのない空間も心地良い空間に変えられる可能性がある。
【００２０】
先にも述べた通り、この場合にも図画22はもちろん猫に限らず、任意のデザイン，意匠であって良く、種類を増すことは好ましい他、色彩を施すか否かも任意である。また、図示の場合には、猫の顔の部分の目鼻，口，髭等は既に描かれているが、これらは描かず、輪郭のみにして、使用者に自分で描かせるようにしても面白い。
【００２１】
このように切り抜きという一手間を与えることが、却って有利に働くことも多い。手間を掛けることが寧ろ好きな人は結構多いし、教育現場ではさらに切り抜き作業という，鋏み等を上手に使わせるための教育的工程を付加した形で、無駄を省くための意識教育，情操教育に展開できる。
【００２２】
ただ、この図２に示される実施形態の場合、立体造形30を切り抜いた残りの部分は廃棄されることになろうが、それでも、ロール芯が丸々一本、そのまま廃棄されていた従来の実情に鑑みれば、やはりゴミの排出量低減には大いに寄与し得るものとなる。
【００２３】
以上、本考案の望ましい実施形態に即し説明したが、図示されている実施形態に限定されるものではなく、本考案の要旨構成に即する限り、任意の改変は自由である。
【図面の簡単な説明】
【００２４】
【図１】本考案に従うトイレットペーパロールの望ましい一実施形態の説明図である。
【図２】本考案に従うトイレットペーパロールの他の実施形態の説明図である。
【符号の説明】
【００２５】
10  トイレットペーパロール
11  ロール芯
12  連続紙
21，22  図画
30  立体造形
【図１】
0003122928.tif 000003
【図２】
0003122928.tif 000004